(57)【要約】【課題】  現在いる地域の知識がないと、よい写真（画像）を撮影することが困難である。【解決手段】  コンテンツサーバ２が、ユーザが撮影した写真（画像）と、撮影位置や撮影時刻、露出、絞り等の撮影条件とを記憶する。携帯電話機１は、現在位置から所定の範囲内で撮影された画像と撮影条件とをコンテンツサーバ２から受信して撮影条件を設定し、画像を撮影する。そして、携帯電話機１は、ユーザの操作に従って、撮影した画像と撮影条件とをコンテンツサーバ２に記憶させる。ユーザ管理サーバ３は、他のユーザが撮影条件をダウンロードした回数に応じて、画像を撮影したユーザがシステムの管理者に支払う料金を減額する。【選択図】  図１
2006135515.tif 000002
【特許請求の範囲】
【請求項１】
現在の自端末の位置を測定する位置測定手段と、
画像を撮影する画像撮影手段と、
通信ネットワークを介して、前記位置測定手段が測定した現在の自端末の位置を示す情報である位置情報を含む情報を送受信する通信手段とを含む携帯通信端末と、
画像データと、前記画像データの撮影位置を示す撮影位置情報とを対応づけて記憶する画像データ記憶手段と、
前記携帯通信端末から受信した前記位置情報が示す位置の近傍の位置を示す撮影位置情報を、前記画像データ記憶手段から抽出する撮影位置情報抽出手段と、
前記撮影位置情報抽出手段が抽出した撮影位置情報を、前記通信ネットワークを介して前記携帯通信端末に送信する撮影位置送信手段とを含む写真撮影情報提供装置とを備えた
ことを特徴とする写真撮影情報提供システム。
【請求項２】
写真撮影情報提供装置は、
画像データ記憶手段が記憶している画像データを抽出する画像データ抽出手段と、
前記画像データ抽出手段が抽出した前記画像データを、通信ネットワークを介して携帯通信端末に送信する画像データ送信手段と、
前記携帯通信端末から、選択された画像データを示す選択情報を受信する選択情報受信手段とを含み、
撮影位置情報抽出手段は、前記選択情報受信手段が受信した前記選択情報が示す画像データに対応づけられた撮影位置情報を、画像データ記憶手段から抽出し、
撮影位置送信手段は、前記撮影位置情報抽出手段が抽出した前記撮影位置情報を、前記通信ネットワークを介して前記携帯通信端末に送信する
請求項１記載の写真撮影情報提供システム。
【請求項３】
写真撮影情報提供装置の撮影位置送信手段は、携帯通信端末から受信した位置情報が示す位置から、撮影位置情報抽出手段が抽出した撮影位置情報が示す位置に導く情報である案内情報を前記携帯通信端末に送信する
請求項１または請求項２記載の写真撮影情報提供システム。
【請求項４】
写真撮影情報提供装置は、
地図データを記憶する地図データ記憶手段と、
携帯通信端末から受信した位置情報と、前記画像データ記憶手段が記憶している前記撮影位置情報とにもとづいて、前記地図データ記憶手段から地図データを抽出する地図データ抽出手段とを含み、
写真撮影情報提供装置の撮影位置送信手段は、前記地図データ抽出手段が抽出した前記地図データを、案内情報として、通信ネットワークを介して前記携帯通信端末に送信する
請求項３記載の写真撮影情報提供システム。
【請求項５】
地図データ抽出手段は、抽出した地図データに、携帯通信端末から受信した位置情報が示す位置と、画像データ記憶手段が記憶している撮影位置情報が示す位置との経路を重畳した地図データを生成して、生成した前記地図データを撮影位置送信手段に送信させる
請求項４記載の写真撮影情報提供システム。
【請求項６】
写真撮影情報提供装置の画像データ記憶手段は、画像データの画像の撮影条件を含む情報を前記画像データに対応づけて記憶し、
前記写真撮影情報提供装置は、携帯通信端末の要求に応じて、前記画像データの画像の撮影条件を通信ネットワークを介して前記携帯通信端末に送信する撮影条件送信手段を含み、
前記携帯通信端末は、前記写真撮影情報提供装置から前記撮影条件を受信すると、前記撮影条件にもとづいて、画像撮影手段が撮影する条件を設定する撮影条件設定手段を含む
請求項１から請求項５のうちいずれか１項記載の写真撮影情報提供システム。
【請求項７】
携帯通信端末の通信手段は、画像撮影手段が撮影した画像の画像データと、前記画像を撮影したときの撮影条件とを対応づけて通信ネットワークを介して写真撮影情報提供装置に送信して画像データ記憶手段に記憶させ、
前記写真撮影情報提供装置に付随し、前記写真撮影情報提供装置の撮影条件送信手段が、携帯通信端末の要求に応じて、前記写真撮影情報提供装置の画像記憶手段が記憶している画像データに対応づけられている撮影条件を送信すると、送信した撮影条件に応じて、撮影条件の送信を要求した前記携帯通信端末のユーザへの請求額を算出する料金算出手段を含む料金算出装置を備えた
請求項６記載の写真撮影情報提供システム。
【請求項８】
料金算出装置の料金算出手段は、前記写真撮影情報提供装置の撮影条件送信手段が、画像データ記憶手段が記憶している画像の撮影条件を携帯通信端末の要求に応じて送信すると、前記画像データ記憶手段が記憶している画像の撮影者に支払う料金を算出する
請求項７記載の写真撮影情報提供システム。
【請求項９】
画像データと、前記画像データの撮影位置を示す撮影位置情報とを対応づけて記憶する画像データ記憶手段と、
通信ネットワークを介して携帯通信端末から前記携帯通信端末の現在の位置を示す情報である位置情報を受信すると、前記位置情報が示す位置の近傍の位置を示す撮影位置情報を、前記画像データ記憶手段から抽出する撮影位置情報抽出手段と、
前記撮影位置情報抽出手段が抽出した撮影位置情報を、前記通信ネットワークを介して前記携帯通信端末に送信する撮影位置送信手段とを含む
ことを特徴とする写真撮影情報提供装置。
【請求項１０】
現在の位置を測定し、
通信ネットワークを介して、測定した現在の位置を示す情報である位置情報を送信し、
画像データと、前記画像データの撮影位置を示す撮影位置情報とを対応づけて記憶し、
前記位置情報が示す位置の近傍の位置を示す撮影位置情報を抽出し、
抽出した前記撮影位置情報を前記通信ネットワークを介して送信し、
画像を撮影する
ことを特徴とする写真撮影情報提供方法。
【請求項１１】
コンピュータに、
画像データと、前記画像データの撮影位置を示す撮影位置情報とを対応づけて記憶手段に記憶させる記憶処理と、
通信ネットワークを介して携帯通信端末から前記携帯通信端末の現在の位置を示す情報である位置情報を受信すると、前記記憶手段から、前記位置情報が示す位置の近傍の位置を示す撮影位置情報を抽出させる抽出処理と、
前記抽出処理で抽出した前記撮影位置情報を前記通信ネットワークを介して前記携帯通信端末に送信させる撮影位置送信処理とを実行させるための写真撮影情報提供プログラム。
【発明の詳細な説明】
【技術分野】
【０００１】
本発明は、サーバが、ユーザが撮影した写真と、撮影位置を含む撮影条件とを提供することにより、サーバが記憶している写真を撮影した地域の知識がないユーザであっても、サーバが記憶している写真と同じ撮影位置および撮影条件で写真を撮影することができる写真撮影情報提供システム、写真撮影情報提供装置、写真撮影情報提供方法、およびプログラムに関する。
【背景技術】
【０００２】
従来、上手に写真を撮影したい人は、カメラ雑誌等を購入し、カメラ雑誌等に掲載されている写真を見て、撮影地や撮影条件（露出やシャッター速度、絞り、焦点距離等）等の撮影情報から撮影方法を判断して写真を撮影していた。また、写真撮影教室等で、写真の撮影方法を学んでいた。そのため、手軽に上手に写真を撮影することが困難であった。
【０００３】
また、カメラ雑誌等を購入しても、自分の訪問先の撮影情報をタイミング良く入手することが難しく、自分の訪問先でよい写真を撮影するのではなく、よい写真を撮影するために、カメラ雑誌等に掲載されている写真が撮影された場所を訪問するという、主従が逆転した状態になっていた。
【０００４】
さらに、カメラ雑誌等に掲載されている写真の撮影情報では、正確な撮影位置や構図等がわからないため、上手に写真が撮影できるか否かは個人の技量に委ねられていた。
【０００５】
また、上手に写真を撮影したい人は、写真の撮影方法を、カメラ雑誌等に記載されている記事や、写真撮影教室の先生によるアドバイスによって学んでいたため、写真の撮影方法を学べる人は、カメラ雑誌等に記載されている記事の対象となる写真撮影技術を有する人や、写真撮影教室に通学できる人等に限定されていた。そのため、カメラ市場と比較して、写真撮影方法の教育市場のビジネス規模の拡大が困難であった。
【０００６】
さらに、上手に写真を撮影することができても、カメラ雑誌等に写真を投稿する以外に、写真撮影技術を他の人に伝達する方法がなかった。
【０００７】
そこで、サンプル画像と、サンプル画像を撮影した撮影条件とを記憶したサーバが、ユーザが入力したキーワードにもとづいてサンプル画像を抽出して電子カメラに送信し、電子カメラに送信したサンプル画像のうち、ユーザが選択したサンプル画像の撮影条件を電子カメラに送信し、電子カメラは受信した撮影条件を設定するシステムが提案されている（例えば、特許文献１および特許文献２参照。）。
【０００８】
また、写真と撮影条件とをサーバにアップロードしたユーザの携帯端末の利用料金を、他のユーザが写真と撮影条件とをダウンロードした回数等に応じて低減するシステムが提案されている（例えば、特許文献３参照。）。
【０００９】
【特許文献１】特開２００２−１８５８３５号公報  （段落００１２〜００２０、図１）
【特許文献２】特開２００２−１８５８３６号公報  （段落００１２〜００２０、図１）
【特許文献３】特開２００４−１５７９３８号公報  （段落００１４〜００１９、図１）
【発明の開示】
【発明が解決しようとする課題】
【００１０】
しかし、特許文献１、特許文献２、および特許文献３に記載されているシステムは、サーバが記憶している写真の撮影位置の情報を提供しないため、サーバが記憶している写真を撮影した地域の知識がないユーザは、サーバが記憶している写真の撮影位置から写真を撮影することが困難であるという問題がある。
【００１１】
そこで、本発明は、コンテンツサーバが、ユーザが撮影した写真と、撮影位置を含む撮影条件とを提供することにより、コンテンツサーバが記憶している写真を撮影した地域の知識がないユーザであっても、コンテンツサーバが記憶している写真と同じ撮影位置および撮影条件で写真を撮影することができる写真撮影情報提供システム、写真撮影情報提供装置、写真撮影情報提供方法、およびプログラムを提供することを目的とする。
【課題を解決するための手段】
【００１２】
本発明による写真撮影情報提供システムは、現在の自端末の位置を測定する位置測定手段と、画像を撮影する画像撮影手段と、通信ネットワークを介して、位置測定手段が測定した現在の自端末の位置を示す情報である位置情報を含む情報を送受信する通信手段とを含む携帯通信端末と、画像データと、画像データの撮影位置を示す撮影位置情報とを対応づけて記憶する画像データ記憶手段と、携帯通信端末から受信した位置情報が示す位置の近傍の位置を示す撮影位置情報を、画像データ記憶手段から抽出する撮影位置情報抽出手段と、撮影位置情報抽出手段が抽出した撮影位置情報を、通信ネットワークを介して携帯通信端末に送信する撮影位置送信手段とを含む写真撮影情報提供装置とを備えたことを特徴とする。
【００１３】
写真撮影情報提供装置は、画像データ記憶手段が記憶している画像データを抽出する画像データ抽出手段と、画像データ抽出手段が抽出した画像データを、通信ネットワークを介して携帯通信端末に送信する画像データ送信手段と、携帯通信端末から、選択された画像データを示す選択情報を受信する選択情報受信手段とを含んでもよく、撮影位置情報抽出手段は、選択情報受信手段が受信した選択情報が示す画像データに対応づけられた撮影位置情報を、画像データ記憶手段から抽出してもよく、撮影位置送信手段は、撮影位置情報抽出手段が抽出した撮影位置情報を、通信ネットワークを介して携帯通信端末に送信してもよい。そのような構成によれば、携帯通信端末のユーザが選択した画像データの撮影位置を示す撮影位置情報を、携帯通信端末に送信することができる。
【００１４】
写真撮影情報提供装置の撮影位置送信手段は、携帯通信端末から受信した位置情報が示す位置から、撮影位置情報抽出手段が抽出した撮影位置情報が示す位置に導く情報である案内情報を携帯通信端末に送信してもよい。そのような構成によれば、携帯通信端末のユーザを、撮影位置情報が示す位置に導くことができる。
【００１５】
写真撮影情報提供装置は、地図データを記憶する地図データ記憶手段と、
携帯通信端末から受信した位置情報と、画像データ記憶手段が記憶している撮影位置情報とにもとづいて、地図データ記憶手段から地図データを抽出する地図データ抽出手段とを含んでもよく、写真撮影情報提供装置の撮影位置送信手段は、地図データ抽出手段が抽出した地図データを、案内情報として、通信ネットワークを介して携帯通信端末に送信してもよい。そのような構成によれば、携帯通信端末は、現在位置と、画像データの撮影位置とにもとづく地図データを受信することができる。
【００１６】
地図データ抽出手段は、抽出した地図データに、携帯通信端末から受信した位置情報が示す位置と、画像データ記憶手段が記憶している撮影位置情報が示す位置との経路を重畳した地図データを生成して、生成した地図データを撮影位置送信手段に送信させてもよい。そのような構成によれば、携帯通信端末は、現在位置から、画像データの撮影位置までの経路を地図データ上で知ることができる。
【００１７】
写真撮影情報提供装置の画像データ記憶手段は、画像データの画像の撮影条件を含む情報を画像データに対応づけて記憶してもよく、写真撮影情報提供装置は、携帯通信端末の要求に応じて、画像データの画像の撮影条件を通信ネットワークを介して携帯通信端末に送信する撮影条件送信手段を含んでもよく、携帯通信端末は、写真撮影情報提供装置から撮影条件を受信すると、撮影条件にもとづいて、画像撮影手段が撮影する条件を設定する撮影条件設定手段を含んでもよい。そのような構成によれば、携帯通信端末は、画像データの画像が撮影されたときと同じ撮影条件で画像を撮影することができる。
【００１８】
携帯通信端末の通信手段は、画像撮影手段が撮影した画像の画像データと、画像を撮影したときの撮影条件とを対応づけて通信ネットワークを介して写真撮影情報提供装置に送信して画像データ記憶手段に記憶させてもよく、写真撮影情報提供装置に付随し、写真撮影情報提供装置の撮影条件送信手段が、携帯通信端末の要求に応じて、写真撮影情報提供装置の画像記憶手段が記憶している画像データに対応づけられている撮影条件を送信すると、送信した撮影条件に応じて、撮影条件の送信を要求した携帯通信端末のユーザへの請求額を算出する料金算出手段を含む料金算出装置を備えてもよい。そのような構成によれば、携帯通信端末が撮影条件をダウンロードした回数等に応じて、携帯通信端末のユーザへの請求額として算出することができる。
【００１９】
料金算出装置の料金算出手段は、写真撮影情報提供装置の撮影条件送信手段が、画像データ記憶手段が記憶している画像の撮影条件を携帯通信端末の要求に応じて送信すると、画像データ記憶手段が記憶している画像の撮影者に支払う料金を算出してもよい。そのような構成によれば、撮影条件がダウンロードされた画像の撮影者に支払う料金を算出することができる。
【００２０】
本発明による写真撮影情報提供装置は、画像データと、画像データの撮影位置を示す撮影位置情報とを対応づけて記憶する画像データ記憶手段と、通信ネットワークを介して携帯通信端末から携帯通信端末の現在の位置を示す情報である位置情報を受信すると、位置情報が示す位置の近傍の位置を示す撮影位置情報を、画像データ記憶手段から抽出する撮影位置情報抽出手段と、撮影位置情報抽出手段が抽出した撮影位置情報を、通信ネットワークを介して携帯通信端末に送信する撮影位置送信手段とを含むことを特徴とする。
【００２１】
本発明による写真撮影情報提供方法は、現在の位置を測定し、通信ネットワークを介して、測定した現在の位置を示す情報である位置情報を送信し、画像データと、画像データの撮影位置を示す撮影位置情報とを対応づけて記憶し、位置情報が示す位置の近傍の位置を示す撮影位置情報を抽出し、抽出した撮影位置情報を通信ネットワークを介して送信し、画像を撮影することを特徴とする。
【００２２】
本発明による写真撮影情報提供プログラムは、コンピュータに、画像データと、画像データの撮影位置を示す撮影位置情報とを対応づけて記憶手段に記憶させる記憶処理と、通信ネットワークを介して携帯通信端末から携帯通信端末の現在の位置を示す情報である位置情報を受信すると、記憶手段から、位置情報が示す位置の近傍の位置を示す撮影位置情報を抽出させる抽出処理と、抽出処理で抽出した撮影位置情報を通信ネットワークを介して携帯通信端末に送信させる撮影位置送信処理とを実行させることを特徴とする。
【発明の効果】
【００２３】
本発明によれば、現在いる地域の知識がないユーザであっても、コンテンツサーバが記憶している写真と同じ撮影位置で写真を撮影することができる。
【発明を実施するための最良の形態】
【００２４】
実施の形態１．
本発明の第１の実施の形態について、図面を参照して説明する。図１は、本発明の写真撮影情報提供システムの第１の実施の形態の一構成例を示すブロック図である。
【００２５】
携帯電話機１（携帯通信端末）は、携帯電話通信網に接続され、携帯電話通信網とゲートウェイとを介して、例えば、インターネット等の通信ネットワーク４と接続することができる。コンテンツサーバ２（写真撮影情報提供装置）、およびユーザ管理サーバ３（料金算出装置）は、通信ネットワーク４に接続されている。なお、コンテンツサーバ２とユーザ管理サーバ３とは、専用回線で互いに接続されていてもよいし、一台のサーバで実現されていてもよい。
【００２６】
図１の例に示すように、携帯電話機１は、携帯電話通信網の無線基地局５と情報を送受信する無線部（通信手段）１１、画像を撮影する撮像部（画像撮影手段）１２、情報を表示する表示部１３、指示を入力する操作部１４、現在位置を測定する測位部（位置測定手段）１５、方位を検出する方位検出部１６、音声信号処理を行う音声処理部１７、音声を入出力する音声入出力部１８、情報を記憶する記憶部１９、および各部を制御する制御部（撮影条件設定手段）１０を含む。
【００２７】
無線部１１は、アンテナに接続されている。撮像部１２は、例えば、ＣＣＤ（Ｃｈａｒｇｅ  Ｃｏｕｐｌｅｄ  Ｄｅｖｉｃｅ）等の撮像素子によって実現される。表示部１３は、例えば、カラー液晶画面等によって実現される。操作部１４は、テンキーや、スクロールキー等を含む。測位部１５は、例えば、ＧＰＳ（Ｇｌｏｂａｌ  Ｐｏｓｉｔｉｏｎｉｎｇ  Ｓｙｓｔｅｍ）衛星から受信した信号によって携帯電話機１の現在位置を測定する。
【００２８】
方位検出部１６は、例えば、地磁気センサによって実現される。音声入出力部１８は、マイクおよびスピーカを含む。記憶部１９は、着信音や報知音、電話帳、電子メール、発着信履歴、携帯電話機１の各種設定情報、プログラム等を記憶し、ＲＡＭ等の記憶素子によって実現される。制御部１０は、プログラムによって処理を実行するＣＰＵによって実現され、電話機能や、電子メール送受信機能、インターネット接続機能等を実現する。
【００２９】
図１の例に示すように、コンテンツサーバ２は、通信ネットワーク４を介して情報を送受信する通信インタフェース部（撮影位置送信手段、画像データ送信手段、選択情報受信手段、撮影条件送信手段）２１、画像データと、撮影位置等の撮影条件とを記憶するコンテンツ記憶部（画像データ記憶手段、記憶手段）２２、地図データを記憶する地図データ記憶部（地図データ記憶手段）２３、および各部を制御するコンテンツサーバ制御部（撮影位置情報抽出手段、画像データ抽出手段、地図データ抽出手段）２０を含む。
【００３０】
コンテンツサーバ２は、例えば、ワークステーションやサーバ等によって実現される。コンテンツ記憶部２２が記憶する撮影条件は、露出やシャッター速度、絞り、焦点距離等の撮影データ、撮影日時、撮影位置、撮影方向、天候等を含む。また、コンテンツ記憶部２２は、画像データに対応づけて、撮影条件、撮影者のユーザＩＤ、および撮影条件がダウンロードされた回数を記憶している。コンテンツサーバ制御部２０は、地図データ記憶部２３から、所定の領域の地図データを抽出し、携帯電話機１から受信した現在位置と、コンテンツ記憶部２２が記憶している撮影位置とを結ぶ線を地図データにおける道路に重畳して表示させるデータであるルートデータを生成し、生成したルートデータを、案内情報として、通信インタフェース部２１、通信ネットワーク４、および携帯電話通信網を介して携帯電話機１に送信する。なお、コンテンツ記憶部２２は、コンテンツサーバ２に内蔵または接続された記憶装置によって実現される。コンテンツサーバ制御部２０は、プログラムによって処理を実行するＣＰＵによって実現される。
【００３１】
コンテンツサーバ２は、コンピュータに、画像データと、画像データの撮影位置を示す撮影位置情報とを対応づけてコンテンツ記憶部２２に記憶させる記憶処理と、通信ネットワーク４を介して携帯電話機１から携帯電話機１の現在の位置を示す情報である位置情報を受信すると、コンテンツ記憶部２２から、位置情報が示す位置の近傍の位置を示す撮影位置情報を抽出させる抽出処理と、抽出処理で抽出した撮影位置情報を通信ネットワーク４を介して携帯電話機１に送信させる撮影位置送信処理とを実行させるための写真撮影情報提供プログラムを搭載している。
【００３２】
ユーザ管理サーバ３は、通信ネットワーク４を介して情報を送受信する通信インタフェース部３１、各ユーザの個人情報を記憶するユーザ管理部３２、各ユーザのサービス利用状況を記憶する課金用アクセス管理部３３、各ユーザが提供した画像データの他のユーザによる利用状況を記憶する返金用アクセス管理部３４、および各部を制御するユーザ管理サーバ制御部（料金算出手段）３０を含む。
【００３３】
ユーザ管理サーバ３は、例えば、ワークステーションやサーバ等によって実現される。ユーザ管理部３２が記憶する個人情報は、各ユーザのユーザＩＤや、パスワード、クレジットカード番号等を含む。課金用アクセス管理部３３は、各ユーザのユーザＩＤに対応づけて、各ユーザの写真撮影情報提供システムへの接続回数や、撮影条件をダウンロードした回数等を記憶している。返金用アクセス管理部３４は、各ユーザのユーザＩＤに対応づけて、各ユーザがコンテンツサーバ２にアップロードした画像データの撮影条件がダウンロードされた回数を記憶している。なお、ユーザ管理部３２、課金用アクセス管理部３３、および返金用アクセス管理部３４は、ユーザ管理サーバ３に内蔵または接続された記憶装置によって実現される。ユーザ管理サーバ制御部３０は、プログラムによって処理を実行するＣＰＵによって実現される。
【００３４】
ユーザ管理サーバ制御部３０は、課金用アクセス管理部３３が記憶しているコンテンツサーバ２への接続回数や、画像データの撮影条件をダウンロードした回数等に応じて、各ユーザの課金額を算出し、例えば、クレジットカード会社を介して、各ユーザに料金を請求する処理を実行する。また、ユーザ管理サーバ制御部３０は、返金用アクセス管理部３４が記憶しているコンテンツサーバ２にアップロードした画像データの撮影条件がダウンロードされた回数等に応じて、算出した課金額を減額したり、例えば、クレジットカード会社を介して、各ユーザに料金を返金したりする処理を実行する。
【００３５】
本発明の第１の実施の形態の動作について、図面を参照して説明する。図２は、本発明の第１の実施の形態の動作を説明するシーケンス図である。
【００３６】
携帯電話機１の制御部１０は、ユーザが操作部１４に入力したユーザＩＤおよびパスワードを、無線部１１、無線基地局５、携帯電話通信網、および通信ネットワーク４を介して、ユーザ管理サーバ３に送信する（ステップＳ１０１）。ユーザ管理サーバ３は、通信インタフェース部３１が、ユーザＩＤおよびパスワードを受信して、ユーザ管理サーバ制御部３０に出力する。ユーザ管理サーバ制御部３０は、通信インタフェース部３１が受信したユーザＩＤおよびパスワードと、予めユーザ管理部３２が記憶しているユーザＩＤおよびパスワードとが合致するか否かのユーザ認証処理を行う（ステップＳ１０２）。
【００３７】
ユーザ管理サーバ制御部３０は、ユーザ認証処理の結果、通信インタフェース部３１が受信したユーザＩＤおよびパスワードと、予めユーザ管理部３２が記憶しているユーザＩＤおよびパスワードとが合致すると判断すると、通信インタフェース部３１、通信ネットワーク４、携帯電話通信網、および無線基地局５を介して、携帯電話機１にユーザ認証が完了したことを示す情報を送信する（ステップＳ１０３）。ユーザ管理サーバ制御部３０は、課金用アクセス管理部３３が受信したユーザＩＤに対応づけて記憶している写真撮影情報提供システムへの接続回数に１を加える（ステップＳ１０４）。
【００３８】
携帯電話機１の制御部１０は、無線部１１がユーザ認証が完了したことを示す情報を受信すると、測位部１５を制御して現在位置を測定する（ステップＳ１０５）。制御部１０は、測位部１５が測定した現在位置を、無線部１１、無線基地局５、携帯電話通信網、および通信ネットワーク４を介して、コンテンツサーバ２に送信する（ステップＳ１０６）。なお、このとき、制御部１０は、ユーザによる操作部１４の操作に従って、コンテンツサーバ２から受信する画像データの条件を示す情報を現在位置と対応づけて送信してもよい。コンテンツサーバ２から受信する画像データの条件とは、例えば、現在位置の近傍で撮影された画像データである。具体的には、例えば、現在位置から３ｋｍ以内の距離で撮影された画像データであったり、現在位置から１０ｋｍ以内の距離で撮影された画像データのうち、ダウンロードされた回数が多い順に５番目までのものであったりする。
【００３９】
コンテンツサーバ２のコンテンツサーバ制御部２０は、通信インタフェース部２１が携帯電話機１から現在位置を受信すると、コンテンツ記憶部２２が画像データに対応づけて記憶している撮影条件のうち、撮影位置の情報を参照して、現在位置から所定の範囲内（近傍。例えば、現在位置から３ｋｍ以内等。）で撮影された画像データを抽出する（ステップＳ１０７）。なお、コンテンツサーバ制御部２０は、通信インタフェース部２１が携帯電話機１から現在位置に対応づけて画像データの条件を示す情報を受信すると、受信した画像データの条件に合致する画像データを抽出する。コンテンツサーバ制御部２０は、通信インタフェース部２１、通信ネットワーク４、携帯電話通信網、および無線基地局５を介して、携帯電話機１に抽出した画像データを送信する（ステップＳ１０８）。
【００４０】
携帯電話機１の制御部１０は、無線部１１が画像データを受信すると、表示部１３に画像データを表示させ（ステップＳ１０９）、ユーザに、同じように撮影したい写真を選択させる。ユーザが操作部１４を操作して画像データを選択すると、制御部１０は、選択された画像データを示す情報を、無線部１１、無線基地局５、携帯電話通信網、および通信ネットワーク４を介して、コンテンツサーバ２に送信する（ステップＳ１１０）。
【００４１】
コンテンツサーバ制御部２０は、通信インタフェース部２１が、選択された画像データを示す情報を受信すると、選択された画像データに対応づけられた撮影条件のうち、撮影位置の情報を参照して、携帯電話機１から受信した現在位置と、撮影位置とを含む地図データを地図データ記憶部２３から抽出し、抽出した地図データにおける道路に現在位置と撮影位置とを結ぶ線を重畳して表示させるデータであるルートデータを生成する（ステップＳ１１１）。
【００４２】
コンテンツサーバ制御部２０は、生成したルートデータを、案内情報として、通信インタフェース部２１、通信ネットワーク４、および携帯電話通信網を介して携帯電話機１に送信する（ステップＳ１１２）。
【００４３】
携帯電話機１の制御部１０は、無線部１１がルートデータを受信すると、表示部１３に表示させる（ステップＳ１１３）。ユーザは、表示部１３が表示したルートデータに従って、画像データが撮影された位置に移動すると、操作部１４を操作して移動が完了したことを示す情報である移動完了情報を入力する。制御部１０は、操作部１４に入力された移動完了情報を、無線部１１、無線基地局５、携帯電話通信網、および通信ネットワーク４を介して、コンテンツサーバ２に送信する（ステップＳ１１４）。
【００４４】
コンテンツサーバ２のコンテンツサーバ制御部２０は、通信インタフェース部２１が移動完了情報を受信すると、コンテンツ記憶部２２が記憶している、選択された画像データに対応づけられた撮影条件を抽出し、通信インタフェース部２１、通信ネットワーク４、および携帯電話通信網を介して携帯電話機１に送信する（ステップＳ１１５）。
【００４５】
携帯電話機１の制御部１０は、無線部１１が撮影条件を受信すると、受信した撮影条件のうち、露出やシャッター速度、絞り、焦点距離等の撮影データを撮像部１２に出力して設定し（ステップＳ１１６）、撮影日時、撮影方向および天候の情報を表示部１３に表示させる（ステップＳ１１７）。このとき、制御部１０は、ユーザが操作部１４を操作して入力した指示に従って、撮像部１２に、露出やシャッター速度、絞り、焦点距離等を変更させてもよい。また、制御部１０は、方位検出部１６が検出した方位と、撮影方向とを比較して、撮像部１２が向けられるべき方向を矢印等で表示部１３に表示させてもよい。そして、制御部１０は、撮像部１２に入力された画像と、コンテンツサーバ２から受信した画像データとを、並列に表示部１３に表示させてもよい。
【００４６】
制御部１０は、ユーザが操作部１４を操作して入力した指示に従って、撮像部１２に画像を撮影させ、撮像部１２が撮影した画像の画像データと、撮像部１２が画像を撮影したときの撮影条件とを対応づけて記憶部１９に記憶させる（ステップＳ１１８）。
【００４７】
制御部１０は、ユーザが操作部１４を操作して、撮影した画像をコンテンツサーバ２にアップロードすることを選択すると、記憶部１９が記憶している画像データと撮影条件とを、無線部１１、無線基地局５、携帯電話通信網、および通信ネットワーク４を介して、コンテンツサーバ２に送信する（ステップＳ１１９）。なお、制御部１０は、ユーザが操作部１４を操作して入力した天候等の情報を含む撮影条件の情報を生成して、画像データと対応づけて無線部１１、無線基地局５、携帯電話通信網、および通信ネットワーク４を介して、コンテンツサーバ２に送信してもよい。
【００４８】
コンテンツサーバ２のコンテンツサーバ制御部２０は、通信インタフェース部２１が携帯電話機１から画像データと撮影条件とを受信すると、通信インタフェース部２１と通信ネットワーク４とを介してユーザ管理サーバ３に、携帯電話機１のユーザのユーザＩＤの送信を要求する（ステップＳ１２０）。ユーザ管理サーバ３のユーザ管理サーバ制御部３０は、ユーザ管理部３２から携帯電話機１のユーザのユーザＩＤを読み出し、通信インタフェース部３１と通信ネットワーク４とを介して、携帯電話機１のユーザのユーザＩＤをコンテンツサーバ２に送信する（ステップＳ１２１）。
【００４９】
コンテンツサーバ２のコンテンツサーバ制御部２０は、通信インタフェース部２１が携帯電話機１のユーザのユーザＩＤを受信すると、携帯電話機１から受信した画像データおよび撮影条件と、ユーザ管理サーバ３から受信したユーザＩＤとを対応づけて、コンテンツ記憶部２２に記憶させる（ステップＳ１２２）。なお、コンテンツサーバ制御部２０は、所定の期間内に各ユーザの携帯電話機に撮影条件を送信した回数が少ない画像データと撮影条件とを、コンテンツ記憶部２２から削除してもよい。
【００５０】
コンテンツサーバ制御部２０は、携帯電話機１のユーザが選択した画像データに対応づけて、コンテンツ記憶部２２が記憶している撮影条件がダウンロードされた回数に１を加え、通信インタフェース部２１と通信ネットワーク４とを介して、ユーザ管理サーバ３に、携帯電話機１のユーザが撮影条件を１つダウンロードしたことを示す情報と、携帯電話機１のユーザが撮影条件をダウンロードした画像データの撮影者のユーザＩＤとを送信する（ステップＳ１２３）。
【００５１】
ユーザ管理サーバ３のユーザ管理サーバ制御部３０は、通信インタフェース部３１が、携帯電話機１のユーザが撮影条件を１つダウンロードしたことを示す情報を受信すると、課金用アクセス管理部３３が携帯電話機１のユーザのユーザＩＤに対応づけて記憶している撮影条件をダウンロードした回数に１を加える（ステップＳ１２４）。また、ユーザ管理サーバ３のユーザ管理サーバ制御部３０は、通信インタフェース部３１が、携帯電話機１のユーザが撮影条件をダウンロードした画像データの撮影者のユーザＩＤを受信すると、返金用アクセス管理部３４が携帯電話機１のユーザが撮影条件をダウンロードした画像データの撮影者のユーザＩＤに対応づけて記憶している撮影条件がダウンロードされた回数に１を加える（ステップＳ１２５）。
【００５２】
ユーザ管理サーバ制御部３０は、所定のタイミング（例えば、各月の予め決められた日時等）で、各ユーザごとに、課金用アクセス管理部３３が記憶している撮影条件をダウンロードした回数および写真撮影情報提供システムへの接続回数と、返金用アクセス管理部３４が記憶している撮影条件がダウンロードされた回数とに応じて、課金額を算出する（ステップＳ１２６）。具体的には、ユーザ管理サーバ制御部３０は、課金用アクセス管理部３３が記憶している撮影条件をダウンロードした回数および写真撮影情報提供システムへの接続回数に応じた金額と、返金用アクセス管理部３４が記憶している撮影条件がダウンロードされた回数に応じた金額とを算出する。そして、ユーザ管理サーバ３０は、課金用アクセス管理部３３が記憶している撮影条件をダウンロードした回数および写真撮影情報提供システムへの接続回数に応じた金額から、返金用アクセス管理部３４が記憶している撮影条件がダウンロードされた回数に応じた金額を差し引いた課金額を算出する。なお、ユーザ管理サーバ制御部３０は、算出した課金額に所定の基本料金を加えた金額を課金額としてもよい。
【００５３】
ユーザ管理サーバ制御部３０は、ユーザ管理部３２が記憶しているクレジットカード番号を参照して、算出した課金額を、通信インタフェース部３１と通信ネットワーク４とを介して、クレジットカード会社のサーバ（図示せず）に送信し、クレジットカード会社を介して課金額を各ユーザに請求する（ステップＳ１２７）。
【００５４】
なお、課金用アクセス管理部３３が記憶している撮影条件をダウンロードした回数および写真撮影情報提供システムへの接続回数に応じた金額よりも、返金用アクセス管理部３４が記憶している撮影条件がダウンロードされた回数に応じた金額が多い場合、ユーザ管理サーバ制御部３０は、返金用アクセス管理部３４が記憶している撮影条件がダウンロードされた回数に応じた金額から、課金用アクセス管理部３３が記憶している撮影条件をダウンロードした回数および写真撮影情報提供システムへの接続回数とに応じた金額を差し引いた差の金額を、クレジットカード会社を介してユーザに支払う処理を行ってもよい。
【００５５】
なお、コンテンツサーバ制御部２０は、例えば、観光地の業者等の集客をしたいユーザがコンテンツ記憶部２２に記憶させた画像データを、上述したステップＳ１０８で優先的に携帯電話機１に送信してもよく、ユーザ管理サーバ制御部３０は、そのようなユーザに、例えば、広告料や他のユーザが撮影条件をダウンロードした回数に応じた金額等の料金を加算して請求してもよい。
【００５６】
以上に述べたように、この実施の形態によれば、ユーザは、カメラ雑誌等を毎号購入することなく、現在位置周辺の撮影スポットを知ることができる。また、撮影条件を参照したり、コンテンツサーバ２から受信した画像の構図を参考にしたりすることにより、ユーザが期待した写真（画像）を手軽に撮影することができる。
【００５７】
また、ユーザがよい写真（画像）の撮影に成功し、コンテンツサーバ２にアップロードした写真（画像）の撮影条件を他のユーザがダウンロードすると、撮影条件がダウンロードされた回数に応じてユーザが請求される料金が減額されるため、ユーザはよりよい写真（画像）をより多くアップロードしようと努力し、コンテンツサーバ２は、良質なコンテンツ（写真（画像））を比較的短期間に多く収集することが可能になる。
【００５８】
さらに、よい写真（画像）は、その写真（画像）が撮影された場所の集客力を生むため、コンテンツサーバ２が記憶した写真（画像）を、広告媒体として用いることができる。
【００５９】
実施の形態２．
本発明の第２の実施の形態について説明する。本発明の第２の実施の形態の構成は、第１の実施の形態と同様なため、第１の実施の形態と同様なサーバ等に、図１と同じ符号を付し、説明を省略する。
【００６０】
本発明の第１の実施の形態において、コンテンツサーバ２のコンテンツ記憶部２２は、ユーザが、携帯電話機１を用いてアップロードした画像データと、画像データの画像を撮影したときの撮影条件とを記憶している。それに加えて本発明の第２の実施の形態では、例えば、写真撮影情報提供システムの管理者が、コンテンツ記憶部２２に、画像データと、画像データの画像を撮影したときの撮影条件とを記憶させている。
【００６１】
本発明の第２の実施の形態の動作について説明する。本発明の第２の実施の形態において、携帯電話機１がダウンロードする画像データおよび撮影条件は、写真撮影情報提供システムの管理者が提供した画像の画像データ、および画像を撮影したときの撮影条件である。そして、携帯電話機１のユーザは、ダウンロードした画像データおよび撮影条件にもとづいて、画像（写真）を撮影する。その他の動作は、本発明の第１の実施の形態と同様なため、説明を省略する。
【００６２】
以上に述べたように、本発明によれば、この写真撮影情報提供システムの運用開始時等、コンテンツ記憶部２２が記憶している画像データおよび撮影条件の数が少ない場合、この写真撮影情報提供システムの管理者が、サンプルとなる画像データと撮影条件とを予めコンテンツ記憶部２２に記憶させるため、コンテンツ記憶部２２が記憶している画像データおよび撮影条件の数を増やすことができることができる。
【００６３】
なお、上述した各実施の形態では、携帯通信端末として携帯電話機１を例に説明したが、本発明はこれに限定されるものではなく、画像撮影機能を有するＰＨＳ（Ｐｅｒｓｏｎａｌ  Ｈａｎｄｙ  Ｐｈｏｎｅ  Ｓｙｓｔｅｍ）端末や、通信機能と画像撮影機能とを有するＰＤＡ（Ｐｅｒｓｏｎａｌ  Ｄｉｇｉｔａｌ  Ａｓｓｉｓｔａｎｃｅ）、モバイルパーソナルコンピュータ等であってもよい。
【産業上の利用可能性】
【００６４】
本発明は、現在いる地域の知識がなくても、よい写真（画像）を撮影するための情報を提供し、良質なコンテンツ（写真（画像））を収集することができるシステムに適用することができる。
【図面の簡単な説明】
【００６５】
【図１】本発明の写真撮影情報提供システムの第１の実施の形態の一構成例を示すブロック図である。
【図２】本発明の第１の実施の形態の動作を説明するシーケンス図である。
【符号の説明】
【００６６】
１    携帯電話機
２    コンテンツサーバ
３    ユーザ管理サーバ
４    通信ネットワーク
５    無線基地局
１０  制御部
１１  無線部
１２  撮像部
１３  表示部
１４  操作部
１５  測位部
１６  方位検出部
１７  音声処理部
１８  音声入出力部
１９  記憶部
２０  コンテンツサーバ制御部
２１  通信インタフェース部
２２  コンテンツ記憶部
２３  地図データ記憶部
３０  ユーザ管理サーバ制御部
３１  通信インタフェース部
３２  ユーザ管理部
３３  課金用アクセス管理部
３４  返金用アクセス管理部
【図１】
2006135515.tif 000003
【図２】
2006135515.tif 000004